(57)【特許請求の範囲】
【請求項１】
導入部にセットされた写真フィルムを筐体内に引き込んで現像処理部で現像処理を行い、この現像処理部で現像処理された写真フィルムを回収する回収部を備えているフィルム処理装置であって、
前記筐体のうち、平面視で前記現像処理部が写真フィルムを送る処理方向と直交する方向で、かつ、オペレータが作業のために立つ側を作業面に設定すると共に、前記現像処理部から前記処理方向に沿って送り出された写真フィルムの搬送方向を前記作業面の側に変更する方向変更機構を備え、この方向変更機構から写真フィルムが送られる経路に対して、写真フィルムの画像情報を光電変換によりデジタル信号として取込むスキャナ部を配置し、このスキャナ部から送り出された写真フィルムを回収する回収部を筐体における前記作業面側に配置してあり、
前記現像処理部は、現像処理後の異なる幅の写真フィルムを、平面視において平行姿勢で送り出すように構成され、前記方向変更機構は、前記現像処理部から送り出された写真フィルムの搬送方向を、平面視において直交方向に変更し、かつ、写真フィルムの表裏を入れ換えて単一の経路から前記スキャナ部に送り込むように構成されているフィルム処理装置。
【請求項２】
前記現像処理部が、現像処理後の写真フィルムを、その乳剤面を上側にして略水平方向に送り出すよう構成され、前記方向変更機構は、この現像処理部から送り出される写真フィルムの搬送方向を直交方向に変更し、かつ、写真フィルムの表裏を入れ換えるよう、現像処理部からの写真フィルムに接触する巻き掛け案内部材を備えて構成されている請求項１記載のフィルム処理装置。
【請求項３】
前記巻き掛け案内部材から異なる経路で送り出される前記異なる幅の写真フィルムを合流させて前記単一の経路に送り出す合流部材を備えている請求項２記載のフィルム処理装置。
【請求項４】
前記筐体が、平面視における前記処理方向での寸法を、この処理方向と直交する方向での寸法より大きく設定し、この処理方向における筐体の端部に前記導入部を備えて構成されている請求項１〜３のいずれか１項に記載のフィルム処理装置。
【発明の詳細な説明】
【０００１】
【発明の属する技術分野】
本発明は、導入部にセットされた写真フィルムを筐体内に引き込んで現像処理部で現像処理を行い、この現像処理部で現像処理された写真フィルムを回収する回収部を備えているフィルム処理装置に関する。
【０００２】
【従来の技術】
上記のように構成されたフィルム処理装置として特開平１１‐２３１４３５号公報や特開平１１‐２３１４３６号公報に示されるものが存在し、この何れの従来の技術でも、装置本体の一方の端部にセットした未現像のフィルムをフィルム現像・乾燥処理部に導いて現像及び乾燥処理を行い、この処理が行われたフィルムを移送部を介して露光部に送り、更に、この露光部で印画紙に焼き付ける処理を行い、この露光部で露光処理に使用されたフィルムを装置本体の他方の端部に配置したストッカー（回収部）にストックするよう構成されている。つまり、この従来の技術のフィルム処理装置では一方の端部にセットしたフィルムを、略直線的に送って処理を行い、この処理の後、他方の端部に送り出して回収するようフィルムの搬送系が構成されているのである。
【０００３】
【発明が解決しようとする課題】
従来の技術に挙げたフィルム処理装置でのフィルムの取り扱いを考えるに、この装置では、装置本体の一方の端部に未現像のフィルムをセットするだけで、この未現像のフィルムを装置本体の内部に送り、現像・乾燥処理を連続して行い、この後に、フィルムを露光部に送って露光を行う処理を自動的に行えるものとなっている。しかしながら、露光後のフィルムの取り扱いを考えるに、露光に使用されたフィルムは、装置本体の他方の端部に配置されたストッカーに送り込まれることから、このフィルムを取出す際には、オペレータがストッカーが配置された部位まで立ち入る形態、あるいは、ストッカーの部位まで手を伸ばす形態での作業を必要とする。又、装置の構造から考えると、ストッカーを装置の端部に配置する構造は、装置の端部外面にストッカーを突出する構造で取付けることや、装置の端部位置にストッカーを内蔵する構造となるので、オペレータの作業形態の観点から考えても、装置の構造の観点から考えても、この装置の端部位置を壁面に接近させることが出来ず、この処理装置の設置に必要な面積を大きくする点で改善の余地がある。
【０００４】
本発明の目的は、排出されたフィルムの取り扱いが容易で、装置の設置面積も小さくし得るフィルム処理装置を合理的に構成する点にある。
【０００５】
【課題を解決するための手段】
本発明の請求項１に係るフィルム処理装置の特徴、作用・効果は次の通りである。
〔特徴〕
導入部にセットされた写真フィルムを筐体内に引き込んで現像処理部で現像処理を行い、この現像処理部で現像処理された写真フィルムを回収する回収部を備えているフィルム処理装置において、前記筐体のうち、平面視で前記現像処理部が写真フィルムを送る処理方向と直交する方向で、かつ、オペレータが作業のために立つ側を作業面に設定すると共に、前記現像処理部から前記処理方向に沿って送り出された写真フィルムの搬送方向を前記作業面の側に変更する方向変更機構を備え、この方向変更機構から写真フィルムが送られる経路に対して、写真フィルムの画像情報を光電変換によりデジタル信号として取込むスキャナ部を配置し、このスキャナ部から送り出された写真フィルムを回収する回収部を筐体における前記作業面側に配置してあり、
前記現像処理部は、現像処理後の異なる幅の写真フィルムを、平面視において平行姿勢で送り出すように構成され、前記方向変更機構は、前記現像処理部から送り出された写真フィルムの搬送方向を、平面視において直交方向に変更し、かつ、写真フィルムの表裏を入れ換えて単一の経路から前記スキャナ部に送り込むように構成されている点にある。
【０００６】
〔作用・効果〕
上記特徴によると、導入部に写真フィルムをセットした場合には、その写真フィルムを処理方向に送ることにより現像処理部で現像処理が行われ、この現像処理部から送り出された写真フィルムは方向変更機構によって作業面の側に送られ、この作業面側に配置した回収部に回収される。つまり、従来の技術のように筐体の端部側に写真フィルムを送り出すものと比較すると、本発明の構成では、回収部からフィルムを取り出す際にもオペレータが端部側に立ち入ることや、大きく手を伸ばす必要が無く、又、従来の技術のように筐体の端部に回収部を配置する構成を必要としないので、この端部を壁面に接近した状態で該装置を設置することも可能となる。更に、例えば、１３５サイズの写真フィルムと、２４０サイズの写真フィルムとに対応して２つの搬送経路を形成した場合でも、現像処理後の写真フィルムの搬送方向を方向変更機構で変換し、その後に、単一の経路に送り出してスキャナ部に送ることが可能となる。つまり、本発明では従来例に示されるもののように搬送経路を切換えるために特別の構造を備えずとも、２つの経路からの写真フィルムを単一の経路を介してスキャナ部に送り込むことが可能になる。その結果、フィルムの取り扱いが容易で、設置面積も小さくし得ると共に、複数の搬送経路で現像処理を行うものでも、無理なくスキャナ部に送り得る装置が合理的に構成されたのである。
【０００７】
本発明の請求項２に係るフィルム処理装置の特徴、作用・効果は次の通りである。
〔特徴〕
請求項１記載のフィルム処理装置において、前記現像処理部が、現像処理後の写真フィルムを、その乳剤面を上側にして略水平方向に送り出すよう構成され、前記方向変更機構は、この現像処理部から送り出される写真フィルムの搬送方向を直交方向に変更し、かつ、写真フィルムの表裏を入れ換えるよう、現像処理部からの写真フィルムに接触する巻き掛け案内部材を備えて構成されている点にある。
【０００８】
〔作用・効果〕
上記特徴によると、現像処理後の写真フィルムは、方向変更機構を構成する巻き掛け案内部材に接触させることによって表裏を入れ換えた姿勢となり、この姿勢でフィルムキャリアに送られるものとなる。そして、このフィルムの画像情報を乳剤側から光電変換手段を介してデジタル信号として取得することも可能となる。その結果、現像処理後の写真フィルムの表裏の入換えと方向の切換とが可動部材を用いることなく、簡単な構成を用いることによって可能となった。
【０００９】
本発明の請求項３に係るフィルム処理装置の特徴、作用・効果は次の通りである。
〔特徴〕
請求項２記載のフィルム処理装置において、前記巻き掛け案内部材から異なる経路で送り出される前記異なる幅の写真フィルムを合流させて前記単一の経路に送り出す合流部材を備えている点にある。
【００１０】
〔作用・効果〕
上記特徴によると、巻き掛け案内部材から異なる経路を介して異なる幅の写真フィルムが送り出された場合でも合流部材で合流する単一の経路からスキャナ部に送り込むことが可能となる。
【００１１】
本発明の請求項４に係るフィルム処理装置の特徴、作用・効果は次の通りである。
〔特徴〕
請求項１〜３のいずれか１項に記載のフィルム処理装置において、前記筐体が、平面視における前記処理方向での寸法を、この処理方向と直交する方向での寸法より大きく設定し、この処理方向における筐体の端部に前記導入部を備えて構成されている点にある。
【００１２】
〔作用・効果〕
上記特徴によると、筐体の長手方向の端部に導入部が形成されているので、この導入部と回収部とが存在しない２面を壁面に近接する状態で、つまり、部屋の隅に対して装置を設置することが可能となり、又、この構成によると、作業面の側を筐体の長手方向の面に設定することになるので、オペレータは長手方向の面の側に立った位置で横方向に位置を変えるだけで作業を行えるものとなる。その結果、部屋の隅の空間を有効に利用して装置を設置でき、作業能率も向上するものとなった。
【００１３】
【発明の実施の形態】
以下、本発明の実施の形態を図面に基づいて説明する。
図１〜図３に示すように、銀塩式の長尺の写真フィルム１（以下、フィルムと略称する）の現像処理を行う現像処理部Ｄと、現像処理部Ｄで現像されたフィルム１の表裏を入れ換えた姿勢で搬送方向を平面視で９０度変更する方向変更機構としてのフィルム搬送機構Ｆと、このフィルム搬送機構Ｆからのフィルム１の画像情報を光電変換してデジタル信号として取込むスキャナ部Ｓと、スキャナ部Ｓでスキャニングされた後のフィルム１が排出される回収部Ｅと、制御ユニットＣとを筐体２に備えてフィルムプロセッサが構成されている。このフィルムプロセッサは現像処理部Ｄで現像された写真フィルム１の複数のコマ画像の画像情報をデジタル信号化して連続的に取込んで制御ユニットＣに保存し、銀塩式や、昇華型や、インクジェット型のプリンター（図示せず）に転送することにより、所謂、同時プリントでのプリントも可能にするものである。
【００１４】
本フィルムプロセッサは図３に示す如く、オペレータＯＰが位置する側を前面とすると、筐体２の右側の端部で、かつ、筐体２の前面に位置するオペレータＯＰが手を伸ばせば届く位置にフィルム導入部Ｄａを形成し、このフィルム導入部Ｄａに連なる筐体内部に前記現像処理部Ｄを配置し、筐体２の左側の部位に前記スキャナ部Ｓを配置し、このスキャナ部Ｓの前面側に回収部Ｅを配置することによって、筐体２に右側の端部からフィルム１を左側に向けて送り、現像処理の後に、オペレータＯＰが位置する側（手前側）にフィルム１の送り方向を変更した後に、スキャナ部Ｓで画像情報を取込み、この画像情報を取込んだ後のフィルム１を筐体２の前面の回収部Ｅに送り出すようフィルム１の搬送経路が形成されている。
【００１５】
又、このフィルムプロセッサは、フィルム導入部Ｄａと隣接する位置に各種の情報を入力するキーボードＫＢを配置し、オペレータＯＰが筐体２の前面側に位置する状態で、前述したフィルム導入部Ｄａに対するフィルム１のセットや、キーボードＫＢの操作や、回収部Ｅに送り出されたフィルム１の取出し等の必要な操作を行えるようにして、筐体２の背面側と、左面側とを壁面Ｗに近接させる位置への設置を可能にしている。
【００１６】
前記フィルム導入部Ｄａは、支軸３ａ周りで揺動自在に備えた蓋体３で開閉される空間４にフィルムマガジンＭをセットできるよう構成してあり、現像処理部Ｄは、フィルム導入部Ｄａからのフィルム１を搬送ユニット（図示せず）で搬送しながら現像処理を行う現像処理槽Ｄｂと、この現像処理槽Ｄｂで現像されたフィルム１にブロア５からの乾燥風を供給して乾燥処理を行う乾燥部Ｄｃと、乾燥されたフィルムを送り出す排出部Ｄｄとを備えて構成されている。
【００１７】
図面には示さないが、フィルム導入部Ｄａには１３５サイズのフィルム（３５ｍｍ版フィルム）のフィルムマガジンＭと、２４０サイズのフィルム（所謂、ＡＰＳフィルム）のフィルムマガジンＭとをセットする装着部が形成され、何れかの装着部にフィルムマガジンＭがセットされた状態で、そのフィルムマガジンＭからフィルム１を引出す機構と、このフィルムマガジンＭから引き出されたフィルム１の端部を検出して切断、あるいは、分離する機構とを備えている。又、この前記現像処理部Ｄは、フィルム導入部Ｄａから排出部Ｄｄに亘って１３５サイズ用と、２４０サイズ用の搬送経路Ｒ１、Ｒ２が２列で平行する状態で形成され、排出部Ｄｄにおいて夫々のフィルム１は、乳剤面を上向きにしてフィルム面が水平姿勢（水平姿勢の仮想平面と平行となる姿勢）で送り出される。
【００１８】
前記フィルム搬送機構Ｆは、図６〜図８に示すように、フレーム８に対して前記搬送経路Ｒ１からの１３５サイズのフィルム１と、前記搬送経路Ｒ２からの２４０サイズのフィルム１とを受け入れる導入経路Ｇ１、Ｇ２を平行姿勢で形成した導入ガイド９を備えると共に、夫々の導入経路Ｇ１、Ｇ２からのフィルム１の表裏を入れ換えた姿勢で、かつ、搬送方向を平面視で９０度変更した状態で送り出す反転経路Ｆａを備え、夫々の反転経路Ｆａからのフィルム１を合流させるよう、搬送下手側で合流する構造の上下一対の合流経路Ｊを形成した合流部材１０を備えて構成され、この合流経路ＪからのフィルムＦを、後述するフィルムキャリアの単一の供給経路Ｋに送り出すよう構成されている。
【００１９】
前記導入ガイド９の夫々の導入経路Ｇ１、Ｇ２に対して搬送経路Ｒ１、Ｒ２からのフィルム１を送るようフィルム１の幅方向での両端部に圧着する複数の導入ローラ１１を備えている。この導入ローラ１１は図外のモータから駆動力で回転駆動するよう構成されると共に、搬送速度より高速度でのフィルム１の引き出しを許す一方向クラッチ（図示せず）を介して動力が伝えられるよう構成されている。尚、本フィルムプロセッサでは夫々の搬送経路Ｒ１、Ｒ２に対して同時にフィルム１を送る形態での処理は行われず、一方の搬送経路Ｒ１、Ｒ２に対してのみフィルム１を送るものとなっている。
【００２０】
前記反転経路Ｆａは断面が半円形状で、平面視（搬送経路に送られるフィルム面と直交する方向視）において、その長手方向が導入経路Ｇ１、Ｇ２に対し４５度で傾斜する姿勢で配置された支持部材１５にフィルムの幅方向での端部に対して厚み方向から接触する案内面１６ａ、１６ａを形成した巻き掛け案内部材１６を巻き付ける形態で取付けて構成され、１３５サイズのフィルム１に対応する巻き掛け案内部材１６の円弧面を成す部位の直径を、２４０サイズのフィルム１に対応する巻き掛け案内部材１６の円弧面を成す部位の直径より大きい値に設定することにより、反転経路からのフィルム１の送り出し位置（レベル）をフィルム面と直交する方向で異ならせてあり、平面視で、フィルム１の送り出し側の経路の中心位置Ｐを一致させている。
【００２１】
前記スキャナ部Ｓは、図４に示すように、フィルム１を搬送するフィルムキャリア２０と、このフィルムキャリア２０に対して、アーム２１に内蔵したグラスファイバーや樹脂ファイバーで成る光学繊維２２を介して上方側から光線を導く光源２３と、フィルムキャリア２０にセットされたフィルム１を透過した光線をスリット（図示せず）を介して光学レンズ２４に導き、この光学レンズ２４からＣＣＤラインセンサ２５に導く構造のスキャナユニットＳＵ（光電変換手段の一例）とを備えている。そして、このスキャナユニットＳＵでフィルム１の画像情報を取込む位置を前記中心位置Ｐの延長上に設定してある。
【００２２】
図４及び図５に示すように、前記フィルムキャリア２０は、ケーシング２０Ａの内部にキャリアユニット２０Ｂを収納して構成されている。つまり、ケーシング２０Ａに対して前記供給経路Ｋを形成し、この供給経路Ｋの延長上に排出経路Ｌが形成された排出経路部材１９を備え、又、キャリアユニット２０Ｂは１３５サイズのフィルム１を送る搬送経路ｒ１と、２４０サイズのフィルム１を送る搬送経路ｒ２とを形成し、夫々の搬送経路ｒ１、ｒ２にはフィルムを圧着搬送する複数のローラ（図示せず）を備え、このキャリアユニット２０Ｂを夫々の搬送経路ｒ１、ｒ２と直交する方向にスライド作動させるアクチュエータ（図示せず）を備えている。そして、供給経路Ｋを介してフィルムキャリア２０にフィルム１が供給された場合には、そのフィルム１のサイズに基づいて図５（イ）、（ロ）に示す如く、キャリアユニット２０Ｂをスライド作動させることにより、フィルム１のサイズに対応した搬送経路ｒ１、ｒ２をスキャナユニットＳＵの上方位置（中心位置Ｐ）に位置させるものとなっている。
【００２３】
このスキャナ部Ｓでフィルム１の画像情報のスキャニングを行う際には、キャリアユニット２０Ｂに備えたローラでフィルム１を設定速度で搬送しながら、そのフィルム１の画像情報をフィルム１の幅方向（主走査方向）に沿ったライン状の画像情報をＣＣＤラインセンサ２５で順次取込む処理を行う処理が行われ、このスキャニングの際のフィルム１の搬送速度を導入経路Ｇ１、Ｇ２でフィルム１を搬送する速度より僅かに高く設定してあるので、前記一方向クラッチによってフィルムキャリア２０へのフィルム１を引き込む作動を円滑に行える。
【００２４】
前記回収部Ｅは、フィルムキャリア２０から排出経路部材１９を介して排出されたフィルム１を受け止める位置に支軸２６周りで開閉自在に備えた透明な樹脂製のストックケース２７で構成され、この回収部Ｅに対してフィルムキャリア２０から排出されたフィルム１を受け止める状態で回収し、取出す場合には支軸２６周りでストックケース２７の姿勢を変更できるものとなっている。
【００２５】
そして、フィルム１の処理を行う際には、フィルム導入部Ｄａに対してフィルムマガジンＭをセットし、キーボードＫＢから必要な情報を入力して処理を開始することにより、そのフィルムマガジンＭから引き出されたフィルム１を現像処理槽Ｄｂに送って現像処理を行い、乾燥部Ｄｃで乾燥を行った後に現像処理部Ｄから送り出される。このように送り出されるフィルム１は乳剤面が上向きであり、１３５サイズ、２４０サイズの何れのサイズであっても、フィルム搬送機構Ｆで表裏を入れ換えた姿勢で（乳剤面を下向きにした姿勢で）単一の供給経路Ｋを介してフィルムキャリア２０に送り込まれる。そして、このフィルムキャリア２０に送り込まれたフィルム１の画像情報はスキャナ部Ｓでデジタル信号化された状態で取り込まれ、制御ユニットＣ内の半導体メモリやハードディスク等に保存され、この後、外部のプリンターに転送されるのである。
【００２６】
このように構成したので、図３に示す如く、部屋の隅等、２つの壁面Ｗと近接する位置に対して、このフィルムプロセッサの筐体２の背面側と、反フィルム導入部側とを接近させた状態で配置することを可能にして、フィルムプロセッサを設置するに必要とする面積を小さくするものとなっており、しかも、このフィルムプロセッサの前面側に位置するオペレータＯＰが大きく移動しなくとも、フィルム導入部Ｄａに対して写真フィルム１をセットすることが可能で、この前面側の回収部Ｅに対して処理後の写真フィルム１が送り出されるので、このフィルムプロセッサの前面位置からオペレータＯＰが写真フィルム１を容易に回収できるものとなっている。
【００２７】
又、このフィルムプロセッサでは、写真フィルム１を巻き付けて案内する巻き掛け案内部材１６を備えてフィルム搬送機構Ｆ（方向変更機構の一例）を構成しているので、写真フィルム１の搬送方向を変更するための機構や、写真フィルム１の表裏を入換える機構を別個に備えずとも、写真フィルム１の搬送方向の変更と、写真フィルム１の表裏の入換えとを同時に行えるものにしている。
【００２８】
〔別実施の形態〕
本発明は上記実施の形態以外に、例えば、写真フィルムの搬送経路が３つ以上であっても良い。
【図面の簡単な説明】
【図１】フィルムプロセッサの斜視図
【図２】フィルムプロセッサにおけるフィルムの搬送経路を示す斜視図
【図３】フィルムプロセッサの平面図
【図４】スキャナ部の構成を示す断面図
【図５】フィルムキャリアの搬送経路を切換えた状態を示す断面図
【図６】フィルム搬送機構の平面図
【図７】反転経路を示す断面図
【図８】反転経路と合流部材との位置関係を示す断面図
【符号の説明】
１              写真フィルム
２              筐体
１６            巻き掛け案内部材
Ｄ              現像処理部
Ｄａ            導入部
Ｅ              回収部
Ｆ              方向変更機構
Ｓ              スキャナ部
ＳＵ            光電変換手段
【図１】
0003664105.tif 000002
【図２】
0003664105.tif 000003
【図３】
0003664105.tif 000004
【図４】
0003664105.tif 000005
【図５】
0003664105.tif 000006
【図６】
0003664105.tif 000007
【図７】
0003664105.tif 000008
【図８】
0003664105.tif 000009